(57)【要約】  事業者情報を管理する装置および方法は、ワイヤレスデバイスのホームネットワークを判定することと、起呼側を識別する番号と起呼側のネットワークを識別するネットワーク識別情報とを含む呼を受信することを含む。この装置および方法は、受信されたネットワーク識別情報がワイヤレスデバイスのホームネットワークに対応しているかどうかを判定することも含む。さらに、この装置および方法は、判定に基づいて通知を表示することと、通知に基づいて呼の許容および/または拒絶を行うこととを含む。
2013534753.tif 000002
【特許請求の範囲】
【請求項１】
呼を受信するための方法であって、
ワイヤレスデバイスにおいて前記ワイヤレスデバイスのホームネットワークを判定するステップと、
識別子を含む前記呼を受信するステップと、
前記識別子が前記ホームネットワークに対応しているかどうかを判定するステップと、
前記判定に基づいて前記ワイヤレスデバイスに関する通知を表示するステップとを含む方法。
【請求項２】
前記識別子がネットワーク識別情報を含む、請求項1に記載の方法。
【請求項３】
前記ネットワーク識別情報は、起呼側の前記ネットワークを識別する、請求項2に記載の方法。
【請求項４】
前記ネットワーク識別情報は、被呼側の前記ネットワークを識別する、請求項2に記載の方法。
【請求項５】
前記識別子は、前記呼に関連する相手を識別する番号を含む、請求項1に記載の方法。
【請求項６】
前記相手が起呼側を含む、請求項5に記載の方法。
【請求項７】
前記相手が被呼側を含む、請求項5に記載の方法。
【請求項８】
前記呼は、音声呼、テレビ会議呼、ショートメッセージサービス(SMS)メッセージ、マルチメディアメッセージングサービス(MMS)メッセージ、映像、ボイスメッセージの転送、データ転送、またはボイスオーバーインターネットプロトコル(IP)呼のうちの1つを含む、請求項1に記載の方法。
【請求項９】
前記通知に基づいて前記呼を許容することを示す情報を受信するステップをさらに含む、請求項1に記載の方法。
【請求項１０】
前記通知は、前記受信されたネットワーク識別情報に関するネットワーク名の表示、視覚効果の表示、音響効果の生成、または前記受信されたネットワーク識別情報に基づくそれらの任意の組合せのうちの1つを含む、請求項1に記載の方法。
【請求項１１】
視覚効果は、前記番号を色で表示する効果、アイコンを表示する効果、絵を表示する効果、前記番号をあるフォントで表示する効果、またはそれらの任意の組合せを含む、請求項10に記載の方法。
【請求項１２】
前記通知は、前記ワイヤレスデバイスのユーザによってカスタマイズされる、請求項10に記載の方法。
【請求項１３】
前記ワイヤレスデバイスにおいて、起呼側を識別する番号、および前記起呼側の前記ネットワークを識別するネットワーク識別情報を記憶するステップをさらに含み、前記記憶するステップは、前記ネットワーク識別情報を、前記起呼側を識別する前記番号に関連付ける、請求項1に記載の方法。
【請求項１４】
前記ネットワーク識別情報に関連するネットワーク名を記憶するステップをさらに含み、前記ネットワーク名は前記ワイヤレスデバイスのユーザによって入力される、請求項2に記載の方法。
【請求項１５】
前記通知を表示するステップは、前記ネットワーク識別情報に関連する前記ネットワーク名を表示するステップを含む、請求項14に記載の方法。
【請求項１６】
前記起呼側を識別する前記番号を、起呼側を識別する事前に記憶された1つまたは複数の番号と比較するステップと、
前記起呼側を識別する前記番号が前記事前に記憶された1つまたは複数の番号と一致する場合に、
前記事前に記憶された1つまたは複数の番号のうちの前記1つに関連する前記事前に記憶されたネットワーク識別情報が、前記受信されたネットワーク識別情報と一致するかどうかを判定するステップと、
前記判定に基づいて前記事前に記憶された1つまたは複数のネットワーク識別情報のうちの前記1つを更新するようユーザにプロンプトを出すステップと、
前記判定に基づいて前記事前に記憶された1つまたは複数のネットワーク識別情報のうちの前記1つを更新するステップとをさらに含む、請求項13に記載の方法。
【請求項１７】
前記更新ステップは、前記判定に基づいて自動的に行われる、請求項16に記載の方法。
【請求項１８】
前記事前に記憶された1つまたは複数の番号に関連する前記ネットワーク識別情報に基づいて前起呼側を識別する前記事前に記憶された1つまたは複数の番号をグループ分けするステップをさらに含む、請求項13に記載の方法。
【請求項１９】
前記起呼側を識別する前記番号を、起呼側を識別する事前に記憶された1つまたは複数の番号と比較するステップと、
前記起呼側を識別する前記番号が前記事前に記憶された1つまたは複数の番号のうちの1つと一致する場合に、
前記事前に記憶された1つまたは複数の番号のうちの前記1つがネットワーク識別情報との関連性を有するかどうかを判定するステップと、
前記関連するネットワーク識別情報が前記ワイヤレスデバイスの前記ホームネットワークに対応しているかどうかを判定するステップと、
前記判定に基づいて前記ワイヤレスデバイスに関する通知を表示するステップと、
前記通知に基づいて前記呼を許容することを示す情報を受信するステップとをさらに含む、請求項6に記載の方法。
【請求項２０】
前記事前に記憶された1つまたは複数の番号のうちの前記1つを関連するネットワーク識別情報によって更新するようユーザにプロンプトを出すステップと、
前記事前に記憶された1つまたは複数の番号のうちの前記1つを更新するステップとをさらに含む、請求項19に記載の方法。
【請求項２１】
前記起呼側を識別する前記番号が前記事前に記憶された1つまたは複数の番号のうちの1つと一致しない場合に、前記呼を受信された呼履歴リストに入れるステップを含む、請求項19に記載の方法。
【請求項２２】
呼を受信するように構成された少なくとも1つのプロセッサであって、
ワイヤレスデバイスにおいて前記ワイヤレスデバイスのホームネットワークを判定するための第1のモジュールと、
識別子を含む前記呼を受信するための第2のモジュールと、
前記識別子が前記ホームネットワークに対応しているかどうかを判定するための第3のモジュールと、
前記判定に基づいて前記ワイヤレスデバイスに関する通知を表示するための第4のモジュールとを備えるプロセッサ。
【請求項２３】
前記識別子はネットワーク識別情報を含む、請求項22に記載のプロセッサ。
【請求項２４】
前記ネットワーク識別情報は、起呼側の前記ネットワークを識別する、請求項23に記載のプロセッサ。
【請求項２５】
前記ネットワーク識別情報は、被呼側の前記ネットワークを識別する、請求項23に記載のプロセッサ。
【請求項２６】
前記識別子は、前記呼に関連する相手を識別する番号を含む、請求項22に記載のプロセッサ。
【請求項２７】
前記相手は起呼側を含む、請求項26に記載のプロセッサ。
【請求項２８】
前記相手は被呼側を含む、請求項26に記載のプロセッサ。
【請求項２９】
前記呼は、音声呼、テレビ会議呼、ショートメッセージサービス(SMS)メッセージ、マルチメディアメッセージングサービス(MMS)メッセージ、映像、ボイスメッセージの転送、データ転送、またはボイスオーバーインターネットプロトコル(IP)呼のうちの1つを含む、請求項22に記載のプロセッサ。
【請求項３０】
前記通知に基づいて前記呼を許容することを示す情報を受信するための第5のモジュールをさらに備える、請求項22に記載のプロセッサ。
【請求項３１】
前記起呼側を識別する前記番号を、起呼側を識別する事前に記憶された1つまたは複数の番号と比較するための第6のモジュールと、
前記起呼側を識別する前記番号が前記事前に記憶された1つまたは複数の番号のうちの1つと一致する場合に、
前記事前に記憶された1つまたは複数の番号のうちの前記1つがネットワーク識別情報との関連性を有するかどうかを判定するための第7のモジュールと、
前記関連するネットワーク識別情報が前記ワイヤレスデバイスの前記ホームネットワークに対応しているかどうかを判定するための第8のモジュールと、
前記判定に基づいて前記ワイヤレスデバイスに関する通知を表示するための第9のモジュールと、
前記通知に基づいて前記呼を許容することを示す情報を受信するための第10のモジュールとをさらに備える、請求項27に記載のプロセッサ。
【請求項３２】
コンピュータに、ワイヤレスデバイスにおいて前記ワイヤレスデバイスのホームネットワークを判定させるための第1のコードセットと、
前記コンピュータに、識別子を含む前記呼を受信させるための第2のコードセットと、
前記コンピュータに、前記識別子が前記ホームネットワークに対応するかどうかを判定させるための第3のコードセットと、
前記コンピュータに、前記判定に基づいて前記ワイヤレスデバイスに関する通知を表示させるための第4のコードセットとを含む、コンピュータプログラム。
【請求項３３】
前記識別子はネットワーク識別情報を含む、請求項32に記載のコンピュータプログラム。
【請求項３４】
前記ネットワーク識別情報は、起呼側の前記ネットワークを識別する、請求項33に記載のコンピュータプログラム。
【請求項３５】
前記ネットワーク識別情報は、被呼側の前記ネットワークを識別する、請求項33に記載のコンピュータプログラム。
【請求項３６】
前記識別子は、前記呼に関連する相手を識別する番号を含む、請求項32に記載のコンピュータプログラム。
【請求項３７】
前記相手は起呼側を含む、請求項36に記載のコンピュータプログラム。
【請求項３８】
前記相手は被呼側を含む、請求項36に記載のコンピュータプログラム。
【請求項３９】
前記呼は、音声呼、テレビ会議呼、ショートメッセージサービス(SMS)メッセージ、マルチメディアメッセージングサービス(MMS)メッセージ、映像、ボイスメッセージの転送、データ転送、またはボイスオーバーインターネットプロトコル(IP)呼のうちの1つを含む、請求項32に記載のコンピュータプログラム。
【請求項４０】
前記コンピュータに、前記通知に基づいて前記呼を許容することを示す情報を受信させるための第5のコードセットをさらに含む、請求項32に記載のコンピュータプログラム。
【請求項４１】
前記コンピュータに、前記起呼側を識別する前記番号を、起呼側を識別する事前に記憶された1つまたは複数の番号と比較させるための第6のコードセットと、
前記起呼側を識別する前記番号が前記事前に記憶された1つまたは複数の番号のうちの1つと一致する場合に、
前記事前に記憶された1つまたは複数の番号のうちの前記1つがネットワーク識別情報との関連性を有するかどうかを前記コンピュータに判定させるための第7のコードセットと、
前記関連するネットワーク識別情報が前記ワイヤレスデバイスの前記ホームネットワークに対応しているかどうかを前記コンピュータに判定させるための第8のコードセットと、
前記コンピュータに、前記判定に基づいて前記ワイヤレスデバイスに関する通知を表示させるための第9のコードセットと、
前記コンピュータに、前記通知に基づいて前記呼を許容することを示す情報を受信させるための第10のコードセットとをさらに含む、請求項37に記載のコンピュータプログラム。
【請求項４２】
ワイヤレスデバイスにおいて前記ワイヤレスデバイスのホームネットワークを判定するための手段と、
識別子を含む前記呼を受信するための手段と、
前記識別子が前記ホームネットワークに対応しているかどうかを判定するための手段と、
前記判定に基づいて前記ワイヤレスデバイスに関する通知を表示するための手段とを備える装置。
【請求項４３】
前記識別子はネットワーク識別情報を含む、請求項42に記載の装置。
【請求項４４】
前記ネットワーク識別情報は、起呼側の前記ネットワークを識別する、請求項43に記載の装置。
【請求項４５】
前記ネットワーク識別情報は、被呼側の前記ネットワークを識別する、請求項43に記載の装置。
【請求項４６】
前記識別子は、前記呼に関連する相手を識別する番号を含む、請求項42に記載の装置。
【請求項４７】
前記相手は起呼側を含む、請求項46に記載の装置。
【請求項４８】
前記相手は被呼側を含む、請求項46に記載の装置。
【請求項４９】
前記呼は、音声呼、テレビ会議呼、ショートメッセージサービス(SMS)メッセージ、マルチメディアメッセージングサービス(MMS)メッセージ、映像、ボイスメッセージの転送、データ転送、またはボイスオーバーインターネットプロトコル(IP)呼のうちの1つを含む、請求項42に記載の装置。
【請求項５０】
前記通知に基づいて前記呼を許容することを示す情報を受信するための手段をさらに含む、請求項42に記載の装置。
【請求項５１】
前記起呼側を識別する前記番号を、起呼側を識別する事前に記憶された1つまたは複数の番号と比較するための手段と、
前記起呼側を識別する前記番号が前記事前に記憶された1つまたは複数の番号のうちの1つと一致する場合に、
前記事前に記憶された1つまたは複数の番号のうちの前記1つがネットワーク識別情報との関連性を有するかどうかを判定するための手段と、
前記関連するネットワーク識別情報が前記ワイヤレスデバイスの前記ホームネットワークに対応しているかどうかを判定するための手段と、
前記判定に基づいて前記ワイヤレスデバイスに関する通知を表示するための手段と、
前記通知に基づいて前記呼を許容することを示す情報を受信するための手段とをさらに備える、請求項47に記載の装置。
【請求項５２】
装置であって、
ワイヤレスデバイスにおいて前記ワイヤレスデバイスのホームネットワークを判定するように動作可能なネットワーク判定器構成要素と、
識別子を含む前記呼を受信するように動作可能な通信構成要素とを備え、
前記ネットワーク判定器構成要素は、前記識別子が前記ホームネットワークに対応しているかどうかを判定するように動作可能であり、
前記装置はさらに、
前記判定に基づいて前記ワイヤレスデバイスに関する通知を表示するように動作可能なプレゼンタ構成要素を備える装置。
【請求項５３】
前記識別子はネットワーク識別情報を含む、請求項52に記載の装置。
【請求項５４】
前記ネットワーク識別情報は、起呼側の前記ネットワークを識別する、請求項53に記載の装置。
【請求項５５】
前記ネットワーク識別情報は、被呼側の前記ネットワークを識別する、請求項53に記載の装置。
【請求項５６】
前記識別子は、前記呼に関連する相手を識別する番号を含む、請求項52に記載の装置。
【請求項５７】
前記相手は起呼側を含む、請求項56に記載の装置。
【請求項５８】
前記相手は被呼側を含む、請求項56に記載の装置。
【請求項５９】
前記呼は、音声呼、テレビ会議呼、ショートメッセージサービス(SMS)メッセージ、マルチメディアメッセージングサービス(MMS)メッセージ、映像、ボイスメッセージの転送、データ転送、またはボイスオーバーインターネットプロトコル(IP)呼のうちの1つを含む、請求項52に記載の装置。
【請求項６０】
前記通知に基づいて前記呼を許容することを示す情報を受信するように動作可能な前記通信構成要素をさらに備える、請求項52に記載の装置。
【請求項６１】
前記通知は、受信されたネットワーク識別情報に関するネットワーク名の表示、視覚効果の表示、音響効果の生成、または前記受信されたネットワーク識別情報に基づくそれらの任意の組合せのうちの1つを含む、請求項52に記載の装置。
【請求項６２】
前記視覚効果は、前記番号を色で表示する効果、アイコンを表示する効果、絵を表示する効果、前記番号をあるフォントで表示する効果、またはそれらの任意の組合せを含む、請求項61に記載の装置。
【請求項６３】
前記通知は、前記ワイヤレスデバイスのユーザによってカスタマイズされる、請求項61に記載の装置。
【請求項６４】
前記ワイヤレスデバイスにおいて、起呼側を識別する番号、および前記起呼側の前記ネットワークを識別するネットワーク識別情報を記憶するように動作可能な個人情報管理データ記憶装置をさらに備え、前記記憶は、前記ネットワーク識別情報を、前記起呼側を識別する前記番号に関連付ける、請求項52に記載の装置。
【請求項６５】
前記個人情報管理データ記憶装置は、前記ネットワーク識別情報に関連するネットワーク名を記憶するようにさらに動作可能であり、前記ネットワーク名は前記ワイヤレスデバイスのユーザによって入力される、請求項64に記載の装置。
【請求項６６】
前記プレゼンタ構成要素は、前記ネットワーク識別情報に関連する前記ネットワーク名を表示することを含めて、前記通知を表示するようにさらに動作可能な、請求項65に記載の装置。
【請求項６７】
前記起呼側を識別する前記番号を、起呼側を識別する事前に記憶された1つまたは複数の番号と比較するように動作可能であり、
前記起呼側を識別する前記番号が前記事前に記憶された1つまたは複数の番号のうちの1つと一致する場合に、
前記事前に記憶された1つまたは複数の番号のうちの前記1つに関連する前記事前に記憶されたネットワーク識別情報が、前記受信されたネットワーク識別情報と一致するかどうかを判定するようにさらに動作可能な相関器構成要素と、
前記判定に基づいて前記事前に記憶された1つまたは複数のネットワーク識別情報のうちの前記1つを更新するようユーザにプロンプトを出すようにさらに動作可能な前記プレゼンタ構成要素と、
前記判定に基づいて前記事前に記憶された1つまたは複数のネットワーク識別情報のうちの前記1つを更新するように動作可能なアップデータ構成要素とをさらに備える、請求項64に記載の装置。
【請求項６８】
前記更新は、前記判定に基づいて自動的に行われる、請求項67に記載の装置。
【請求項６９】
前記事前に記憶された1つまたは複数の番号に関連する前記ネットワーク識別情報に基づいて前起呼側を識別する前記事前に記憶された1つまたは複数の番号をグループ分けするように動作可能なグループ分け構成要素をさらに備える、請求項64に記載の装置。
【請求項７０】
前記起呼側を識別する前記番号を、起呼側を識別する事前に記憶された1つまたは複数の番号と比較するように動作可能であり、
前記起呼側を識別する前記番号が前記事前に記憶された1つまたは複数の番号のうちの1つと一致する場合に、
前記事前に記憶された1つまたは複数の番号のうちの前記1つがネットワーク識別情報との関連性を有するかどうかを判定するように動作可能な相関器構成要素と、
前記関連するネットワーク識別情報が前記ワイヤレスデバイスの前記ホームネットワークに対応しているかどうかを判定するように動作可能な前記ネットワーク判定器と、
前記判定に基づいて前記ワイヤレスデバイスに関する通知を表示するように動作可能な前記プレゼンタと、
前記通知に基づいて前記呼を許容することを示す情報を受信するように動作可能な前記通信構成要素とをさらに備える、請求項57に記載の装置。
【請求項７１】
前記事前に記憶された1つまたは複数の番号のうちの前記1つを関連するネットワーク識別情報によって更新するようユーザにプロンプトを出すように動作可能な前記プレゼンタ構成要素と、
前記事前に記憶された1つまたは複数の番号のうちの前記1つを更新するように動作可能なアップデータ構成要素とをさらに備える、請求項70に記載の装置。
【請求項７２】
前記起呼側を識別する前記番号が前記事前に記憶された1つまたは複数の番号のうちの1つと一致しない場合に、前記アップデータ構成要素は、前記呼を受信された呼履歴リストに入れるように動作可能である、請求項70に記載の装置。
【発明の詳細な説明】
【技術分野】
【０００１】
同時係属特許出願の参照
本特許出願は、以下の同時係属米国特許出願に関する。
代理人整理番号072311を有し、2008年11月26日に出願され、本出願の譲受人に譲渡され、参照により明確に本明細書に組み込まれる、「Disclosure of Communication Information」という名称の「第12/324,660号」。
【０００２】
以下の説明は概して、ワイヤレス通信に関し、より詳細には、モバイルデバイスに関連してワイヤレス通信の事業者情報を管理することに関する。
【背景技術】
【０００３】
たとえば、音声、データなど、様々なタイプの通信コンテンツを提供するために、ワイヤレス通信システムが広く利用されている。セルラー電話またはワイヤレス接続機能を有するハンドヘルドデバイスのようなワイヤレスデバイスが、互いに通信するためにワイヤレス通信システム内で利用されている。さらに、ワイヤレス通信システムは、使用可能なシステムリソース、たとえば、とりわけ帯域幅または送信電力を共有することによって、複数のユーザとの通信をサポートすることができる多元接続システムであり得る。通常の場合、ユーザは、ワイヤレスデバイスおよび通信プラン、たとえば、ユーザがある金額を払うことによって使用することのできる月ごとの時間(分単位)をネットワークプロバイダから購入し、したがって、ユーザが、ワイヤレス通信システム内の他のエンティティと通信することが可能になる。ネットワークプロバイダは、ユーザがネットワークプロバイダの通信システム内で呼の発信および/または受信を行うように様々な特典を提供することがある。たとえば、呼がネットワークプロバイダの通信システム内で行われる場合、ユーザがその呼に対して課金されないことがあり、たとえば、ネットワークプロバイダの通信システム内の呼に使用される分数がユーザが使用できる分数に対して課金されないことがある。したがって、ユーザが、ワイヤレス通信システム内の通信デバイスがどのネットワークに属しているかを識別することができると有利である。
【発明の概要】
【課題を解決するための手段】
【０００４】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００５】
一態様は、呼を受信するための方法に関する。この方法は、ワイヤレスデバイスにおいてそのワイヤレスデバイスのホームネットワークを判定することを含んでもよい。この方法は、識別子を含む呼を受信することを含んでもよい。さらに、この方法は、識別子がホームネットワークに対応しているかどうかを判定することを含んでもよい。さらに、この方法は、判定に基づいてモバイルデバイスに関する通知を表示することを含んでもよい。
【０００６】
別の態様は、呼を受信するように構成された少なくとも1つのプロセッサに関する。このプロセッサは、ワイヤレスデバイスにおいてそのワイヤレスデバイスのホームネットワークを判定するための第1のモジュールを含んでもよい。このプロセッサは、識別子を含む呼を受信するための第2のモジュールを含んでもよい。その上、プロセッサは、識別子がホームネットワークに対応しているかどうかを判定するための第3のモジュールを含んでもよい。プロセッサは、判定に基づいてモバイルデバイスに関する通知を表示するための第4のモジュールをさらに含んでもよい。
【０００７】
さらに別の態様は、コンピュータプログラム製品に関する。このコンピュータプログラム製品は、コンピュータに、ワイヤレスデバイスにおいてそのワイヤレスデバイスのホームネットワークを判定させるための少なくとも第1のコードセットを含むコンピュータ可読媒体を含んでもよい。このコンピュータ可読媒体は、コンピュータに、識別子を含む呼を受信させるための少なくとも第2のコードセットを含んでもよい。さらに、コンピュータ可読媒体は、コンピュータに、識別子がホームネットワークに対応しているかどうかを判定させるための少なくとも第3のコードセットを含んでもよい。さらに、コンピュータ可読媒体は、コンピュータに、判定に基づいてモバイルデバイスに関する通知を表示させるための第4のコードセットを含んでもよい。
【０００８】
別の態様は、呼を受信するための装置に関する。この装置は、ワイヤレスデバイスにおいてそのワイヤレスデバイスのホームネットワークを判定するための手段を含んでもよい。さらに、この装置は、識別子を含む呼を受信するための手段を含んでもよい。その上、装置は、識別子がホームネットワークに対応しているかどうかを判定するための手段を含んでもよい。さらに、装置は、判定に基づいてモバイルデバイスに関する通知を表示するための手段を含んでもよい。
【０００９】
さらに別の態様は、呼を受信するための装置に関する。この装置は、ワイヤレスデバイスにおいてそのワイヤレスデバイスのホームネットワークを判定するように動作可能なネットワーク判定器構成要素を含んでもよい。この装置は、識別子を含む呼を受信するように動作可能な通信構成要素を含んでもよい。装置は、識別子がホームネットワークに対応しているかどうかを判定するように動作可能なネットワーク判定器構成要素をさらに含んでもよい。さらに、装置は、判定に基づいてモバイルデバイスに関する通知を表示するように動作可能なプレゼンタ構成要素をさらに含んでもよい。
【００１０】
上記のおよび関連の目的の達成のために、1つまたは複数の態様は、以下で十分に説明し、特許請求の範囲で具体的に指摘する特徴を含む。以下の説明および添付の図面は、1つまたは複数の態様のいくつかの例示的な特徴を詳細に説明する。しかしながら、これらの特徴は、様々な態様の原理が使用され得る様々な方法のうちのほんのいくつかしか示しておらず、この説明は、そのようなすべての態様およびそれらの均等物を含むものとする。
【００１１】
添付の図面とともに以下に説明する開示する態様は、開示する態様を限定するためではなく、開示する態様を例示するために与えられ、同様の表示は同様の要素を示す。
【図面の簡単な説明】
【００１２】
【図１】一態様によるコネクティビティシステムの図である。
【図２】一態様によるモバイルデバイス内で動作可能な例示的なネットワーク判定器構成要素の図である。
【図３】別の態様によるモバイルデバイス内で動作可能な個人情報マネージャデータ記憶装置構成要素の一例の図である。
【図４】一態様によるモバイルデバイス内で動作可能なアップデータ構成要素の一例の図である。
【図５】別の態様による呼を受信するための方法を示すフローチャートである。
【図６】別の態様による、モバイルデバイスにおいて通信の発信および/または受信を行うための方法を示すフローチャートである。
【図７】一態様による、受信された通信および/または発信された通信がワイヤレスデバイス上に記憶された連絡先との関連性を有するかどうかを判定するための方法を示すフローチャートである。
【図８】さらに別の態様による連絡先情報の更新および/または追加を行うための方法を示すフローチャートである。
【図９】一態様によるコネクティビティシステム内で動作可能な例示的なワイヤレスデバイスの図である。
【図１０】別の態様によるコンテンツの管理を容易にする例示的なシステムの図である。
【発明を実施するための形態】
【００１３】
次に、図面を参照しながら様々な態様について説明する。以下の記述では、説明の目的で、1つまたは複数の態様の完全な理解を与えるために多数の具体的な詳細を記載する。ただし、そのような態様をこれらの具体的な詳細なしに実施できることは明白であり得る。
【００１４】
説明する各態様は、ワイヤレス通信に関する事業者情報を管理し、事業者情報に基づいて通信の発信および/または受信を行うかどうかを柔軟に判定できるようにするための方法および装置に関する。このような方法および装置は、事業者情報を記憶し、記憶された事業者情報を使用して、通信の発信および/または受信を行うかどうかを判定することを含んでもよい。
【００１５】
次に図1を参照すると、1つまたは複数のアクセスネットワーク104を通じて1つまたは複数の通信デバイス106と通信する1つまたは複数のワイヤレスデバイス102を含む例示的なコネクティビティシステム100が示されている。ワイヤレスデバイス102は、あるアクセスネットワーク104に接続することができる、セルラーデバイスなどの任意のモバイルコンピューティングデバイスもしくはモバイル通信デバイスまたはポータブルコンピューティングシステムデバイスもしくはポータブル通信デバイスを含んでもよい。ワイヤレスデバイス102は、たとえば、デバイスのうちでもとりわけ、ワイヤレス接続機能を有するセルラー電話、ナビゲーションシステム、コンピューティングデバイス、カメラ、PDA、音楽デバイス、またはハンドヘルドデバイスであってもよい。さらに、通信デバイス106は、たとえば、デバイスのうちでもとりわけ、ワイヤレス接続機能を有するセルラー電話、固定電話、ナビゲーションシステム、コンピューティングデバイス、カメラ、PDA、音楽デバイス、またはハンドヘルドデバイスであってもよい。さらに、アクセスネットワーク104は、ワイヤレスデバイス102および通信デバイス106との1つまたは複数の種類の通信接続を確立してもよい。
【００１６】
ワイヤレスデバイス102は、通信、たとえば、通信のうちでもとりわけ、電話呼、テレビ会議呼、ボイスオーバーインターネットプロトコル(IP)呼、ショートメッセージサービス(SMS)メッセージ、マルチメディアメッセージングサービス(MMS)メッセージ、映像、ボイスメッセージの転送、またはデータ転送の発信および/または受信を、アクセスネットワーク104を介して1つまたは複数の通信デバイス106との間で行ってもよい。さらに、ワイヤレスデバイス102は、アクセスネットワーク104を介して1つまたは複数の通信デバイス106から通信を受信してもよい。
【００１７】
一態様では、ワイヤレスデバイス102は、ワイヤレスデバイス102のホーム通信ネットワークを判定するように動作可能なホームネットワーク判定器12構成要素を含んでもよい。ホーム通信ネットワークには、ワイヤレスデバイス102が登録された事業者のネットワークおよび/またはネットワーク内で行われた通信に対してワイヤレスデバイス102が好ましい料金を受け入れるネットワークが含まれてもよいが、それらに限らない。好ましい料金には、たとえば、通信料金の減額、ワイヤレスデバイスの通信の無料化、またはそれらの任意の組合せが含まれてもよい。一態様では、ワイヤレスデバイス102は、ワイヤレスデバイスのホームネットワークを識別するための国際モバイル加入者識別情報(IMSI)を含む加入者識別モジュール(SIM)カードを含んでもよい。たとえば、IMSIは、ワイヤレスデバイスのホームネットワークを識別するモバイル国コード(MCC)および/またはモバイルネットワークコード(MNC)を含んでもよい。別の態様では、ワイヤレスデバイス102は、ワイヤレスデバイスのホームネットワークおよび/または他の好ましいネットワークを識別するパブリックランドモバイルネットワーク(EPLM)を含んでもよい。ホームネットワーク判定器12がIMSIおよび/またはEPLMを使用してワイヤレスデバイス102のホーム通信ネットワークを判定してもよいことが諒解されよう。
【００１８】
ワイヤレスデバイス102は、ワイヤレスデバイス102のホームネットワーク、たとえばホームネットワーク判定器12によって判定されるネットワークを識別するためのホームネットワーク識別情報(ID)14を含んでもよい。さらに、ワイヤレスデバイス102は、1つまたは複数の通信デバイス106の1つまたは複数の通信ネットワークを判定し、その通信ネットワークをワイヤレスデバイス102のホームネットワークID14と比較するように動作可能なネットワーク判定器10構成要素をさらに含んでもよい。
【００１９】
ワイヤレスデバイス102が通信ネットワーク104を介して1つまたは複数の通信デバイス106と通信するとき、ネットワーク判定器10は、通信ネットワーク104がワイヤレスデバイス102のホームネットワークID14と一致するかどうかを判定してもよい。通信ネットワーク104がホームネットワークID14と一致しない場合、ワイヤレスデバイス102のユーザに、通信デバイス106からの呼を許容するかどうかおよび/または通信デバイス106に呼を発信するかどうかを決定するようプロンプトを出してもよい。たとえば、ユーザは、ホームネットワークとは異なる通信ネットワークを介して通信するための追加の時間(分単位)および/または金額に対して課金されることがある。したがって、ワイヤレスデバイス102のユーザは、通信ネットワーク104がワイヤレスデバイス102のホームネットワークID14と一致するかどうかに基づいて1つまたは複数の通信デバイス106との通信の制限および/または許容を行ってもよい。
【００２０】
図2を参照すると、一態様によるワイヤレスデバイス102内で動作可能な例示的なネットワーク判定器10構成要素が示されている。一態様では、ワイヤレスデバイス102(図1)のユーザによって呼の発信および/または受信が行われたときに、ネットワーク判定器10を使用して、その呼がワイヤレスデバイス102内に記憶されている連絡先との関連性を有するかどうかを判定してもよい。さらに、ネットワーク判定器10を使用して、呼がワイヤレスデバイス102と同じホームネットワーク内の呼であるかどうかを判定してもよい。一態様では、ネットワーク判定器10は、1組の連絡先情報、たとえば、図3に示すように、ワイヤレスデバイス102に関する連絡先の名称、連絡先番号、連絡先の住所、連絡先番号ネットワークID、または連絡先グループIDを記憶するように動作可能な個人情報マネージャ(PIM)データ記憶装置20を含んでもよい。
【００２１】
図3を参照すると、一態様によるワイヤレスデバイス102内で動作可能な例示的なPIMデータ記憶装置20が示されている。PIMデータ記憶装置20は、PIMデータ記憶装置20に記載されている個人および/または会社の1つまたは複数の連絡先名30および/または連絡先住所38を含んでもよい。さらに、PIMデータ記憶装置20は、1つまたは複数の連絡先名30および/または連絡先住所38に関連する1つまたは複数の連絡先番号32を含んでもよい。PIMデータ記憶装置20は、連絡先番号32のネットワークを示す、連絡先番号32に関連する連絡先番号ネットワーク識別情報(ID)34を含んでもよい。場合によっては、一態様において、PIMデータ記憶装置20は、連絡先番号ネットワークID34に関連する1つまたは複数の連絡先番号ネットワークID名35、たとえばネットワークの別名を含んでもよい。連絡先ネットワークID名35は、以下の名前、名前のうちでもとりわけ、マイネットワーク、同じネットワーク、ホームネットワーク、または異なるネットワークの名前のいずれかを含んでよいが、それに限らない。ユーザが連絡先番号ネットワークID名35を入力しても、あるいは受信された呼情報に基づいて連絡先情報ネットワークID名35を自動的に入力してもよいことを諒解されたい。
【００２２】
さらに、連絡先名30が連絡先名30に関連する1つまたは複数の連絡先番号32を有してもよいことを諒解されたい。したがって、連絡先名30は、1つまたは複数の連絡先番号ネットワークID34に関連する1つまたは複数の連絡先番号32を有してもよい。さらに、PIMデータ記憶装置20は、連絡先名30が、グループ、たとえば、とりわけ、友人、家族、同僚、チャットグループ、または専門的な組織のような連絡先のグループとの関連性を有するかどうかを識別するためのグループ識別情報(ID)36を含んでもよい。グループは、特定のネットワーク、たとえば、ホームネットワーク、異なるネットワーク、または未知のネットワークに関連する連絡先を含んでもよい。したがって、様々な連絡先に関連するネットワーク情報に基づいて作成されてもよい。
【００２３】
図2を再び参照する。ネットワーク判定器10は、呼情報、たとえば着呼および/または出呼に関連する情報をPIMデータ記憶装置20内に記憶されている連絡先情報と相関させるように動作可能な相関器22構成要素をさらに含んでもよい。たとえば、相関器22を使用して、着信番号をPIMデータ記憶装置20内に記憶されている連絡先名30および/または連絡先番号32(図3)と相関させてもよい。さらに、相関器22を使用して、着呼および/または出呼の通信ネットワークをPIMデータ記憶装置20内に記憶されている連絡先番号ネットワークID34および/または連絡先番号ネットワークID名35(図3)と相関させてもよい。したがって、ワイヤレスデバイスのユーザが、呼の発信および/または受信を行うときに、ネットワーク判定器10によって相関器22を使用して、着呼および/または出呼がPIMデータ記憶装置20に記憶されている連絡先名および/または連絡先番号と相関しているかどうか、ならびにネットワーク情報が連絡先名および/または連絡先番号として知られているかどうかを判定してもよい。
【００２４】
ネットワーク判定器10は、起呼側および/または被呼側に関するネットワーク情報を示すように動作可能なプレゼンタ24構成要素をさらに含んでもよい。プレゼンタ24は、起呼側および/または被呼側のネットワークがワイヤレスデバイス102のホームネットワークID14と同じであるかどうかを識別するための通知をワイヤレスデバイス102上で表示してもよい。
【００２５】
一態様では、この通知は、連絡先番号ネットワークID名35(図3)、たとえば、同じネットワーク、マイネットワーク、ホームネットワーク、または異なるネットワークの表示を含んでもよい。通知は、グループの識別、たとえばネットワーク組織、友人、家族、または同僚に基づく連絡先情報の表示を含んでもよい。それに加えてならびに/あるいはその代わりに、通知は、ワイヤレスデバイス上に表示される視覚効果および/またはワイヤレスデバイスから発せられる音響効果であってもよい。視覚効果には、以下のうちの1つまたは複数が含まれてもよいがそれらに限らない。通信ネットワークを示す色による起呼側を識別する番号の表示、たとえば、同じネットワークには緑、異なるネットワークには赤、または未知のネットワークにはグレー、通信ネットワークを示すアイコンの表示、たとえば、同じネットワークにはチェックマーク、異なる通信ネットワークには「X」、または未知の通信ネットワークにはクエスチョンマーク、様々なネットワークオプション、連絡先名、および/または連絡先番号に関連する絵の表示、通信ネットワークが同じネットワークであるか、異なるネットワークであるか、それとも未知のネットワークであるかを示す様々なフォントの表示、あるいはそれらの任意の組合せ。さらに、通知は、音響効果のうちでもとりわけ、ネットワークがホームネットワークと同じであるかどうかを示すボイスメッセージおよび/またはネットワークがホームネットワークと同じであるかどうかを示す着信音のような音響効果を含んでもよい。しかし、これらがプレゼンタ24によってワイヤレスデバイス上に表示される通知の例示的な例に過ぎず、プレゼンタ24が任意の視覚効果および/または音響効果を使用して起呼側および/または被呼側のネットワーク組織をユーザに通知してもよいことを諒解されたい。ワイヤレスデバイス102(図1)のユーザは、ユーザの好みに基づいてネットワーク情報を提示するための通知の構成および/または変更を行ってもよい。
【００２６】
さらに、ネットワーク判定器10は、PIMデータ記憶装置20および/またはワイヤレスデバイス102との間の情報の更新および/または追加を行うように動作可能なアップデータ26構成要素を含んでもよい。一態様による例示的なアップデータ26構成要素が図4に示されている。
【００２７】
次に図4を参照する。アップデータ26は、ワイヤレスデバイス102への着呼および/またはワイヤレスデバイス102からの出呼を記憶するように動作可能な呼履歴データ記憶装置40を含んでもよい。したがって、ユーザが通信デバイス106(図1)への呼および/または通信デバイス106からの呼の発信および/または受信を行うときに、アップデータ26はその呼を呼履歴データ記憶装置40に付加してもよい。呼履歴データ記憶装置40は、呼に関して、電話番号42、ネットワーク識別情報(ID)44、呼が発信された日付46、呼が発信された時間48、呼の長さ50のうちの少なくとも1つまたは複数を含んでもよい。したがって、ユーザが呼の発信および/または受信を行うときに、アップデータ26は、適切な呼情報、たとえば電話番号、ネットワークID、呼が発信された日付および/または時間、ならびに呼の長さによって呼履歴データ記憶装置40を更新してもよい。電話番号42が連絡先番号32に対応している場合、電話番号42に関連する連絡先名30も呼履歴データ記憶装置40に記憶してもよいことを諒解されたい。
【００２８】
さらに、アップデータ26は、PIMデータ記憶装置20において1つまたは複数の連絡先名30の追加および/または更新を行うように動作可能である連絡先名アップデータ52構成要素を含んでもよい。アップデータ26は、PIMデータ記憶装置20において1つまたは複数の連絡先名30(図3)の追加および/または更新を行うように動作可能である連絡先番号アップデータ54構成要素をさらに含んでもよい。たとえば、ユーザが連絡先の情報、たとえば名前または電話番号を追加または修正したい場合、連絡先名アップデータ52および連絡先番号アップデータ54を使用してPIMデータ記憶装置20を更新してもよい。
【００２９】
アップデータ26は、それぞれ連絡先番号ネットワークIDおよび連絡先番号ネットワークID名の追加および/または更新を行うように動作可能な連絡先番号ネットワークIDアップデータ56および連絡先番号ネットワークID名アップデータ57をさらに含んでもよい。その上、アップデータ26は、連絡先のグループIDの追加および/または更新を行うように動作可能なグループ識別情報(ID)アップデータ58構成要素を含んでもよい。グループへの連絡先の追加および/またはユーザによる連絡先の更新が行われるときには、グループIDアップデータ58を使用してPIMデータ記憶装置20内の連絡先に関するグループ組織、たとえば、とりわけ、家族、友人、同僚、チャットグループ、専門的な組織、またはネットワーク組織を更新してもよい。
【００３０】
したがって、ユーザが通信デバイス106との間で呼の発信および/または呼の受信を行うとき、ネットワーク判定器10は、呼がPIMデータ記憶装置20内に記憶されている連絡先および通信デバイス106に関連するネットワークとの関連性を有するかどうかをユーザが判定するのを助けてもよい。
【００３１】
次に図5の流れ図500を参照する。呼を受信するための方法の一態様は、502においてワイヤレスデバイスのホームネットワークを判定することを含む。たとえば、ホームネットワーク判定器(図1)は、ワイヤレスデバイスのホームネットワークを判定してもよい。以下に図6に関して説明するように、ホームネットワークは、ワイヤレスデバイスが登録された通信ネットワークを含んでもよい。受信される呼には、被呼側への出呼および/または起呼側からの着呼が含まれてもよいが、それらに限らないことを諒解されたい。さらに、呼には、たとえば、呼のうちでもとりわけ、電話呼、テレビ会議呼、ボイスオーバーインターネットプロトコル(IP)呼、SMSメッセージ、MMSメッセージ、映像、ボイスメッセージの転送、またはデータ転送が含まれてもよい。この方法は、504において、識別子を含む呼を受信することをさらに含む。この識別子は、たとえば、通信デバイスが通信するネットワーク、たとえば起呼側の通信ネットワークおよび/または被呼側の通信ネットワークを識別するためのネットワーク識別情報を含んでもよい。さらに、識別子は、たとえば、識別子のうちでもとりわけ、呼に関連する相手、たとえば、被呼側および/または起呼側を識別する番号を含んでもよい。
【００３２】
この方法は、次に、506において、識別子がホームネットワークに対応しているかどうか、たとえば、通信デバイスが通信しているネットワークがワイヤレスデバイスのホームネットワークと同じネットワークであるかそれとも異なるネットワークであるかを判定することを含む。この方法は、508において、判定に基づいてモバイルデバイスに関する通知を表示することを含む。この通知は、以下に図6においてより詳細に説明するように、ネットワーク同士が同じであるか、それともネットワーク同士が異なるかを示すか、または通信ネットワークが未知のネットワークであることを示してもよい。
【００３３】
次に図6の流れ図600を参照する。通信の発信および/または受信を行うための方法の一態様は、602においてワイヤレスデバイスのホームネットワークを判定することを含む。ホームネットワークには、たとえば、ワイヤレスデバイスが登録された通信ネットワークおよび/またはネットワーク内で行われた通信に対してワイヤレスデバイスが受ける料金が好ましい料金である通信ネットワークが含まれてもよい。この方法は、次に、604において、上記に図1に関して説明したように別の通信デバイスとの通信の受信および/または発信を行うことを含む。通信には、たとえば、とりわけ、電話呼、SMSメッセージ、ビデオの送信、ボイスメッセージの転送、またはそれらの任意の組合せが含まれてもよいことを諒解されたい。この方法は、606において、この通信が、通信デバイスが通信しているネットワークを識別するネットワーク識別子(ID)が含むかどうかを判定することを含む。ネットワークIDは、たとえば、通信デバイスのネットワークによってワイヤレスデバイスに供給されても、あるいはワイヤレスデバイスのホームネットワークによってワイヤレスデバイスに供給されてもよい。さらに、ネットワークIDは、通信の一部として送信されても、あるいは別個の通信において送信されてもよい。
【００３４】
この方法は、この通信がネットワークIDを含むと判定した場合、608において、ネットワークIDがワイヤレスデバイスのホームネットワークに対応しているかどうか、たとえば、通信デバイスが通信しているネットワークがワイヤレスデバイスのホームネットワークと同じであるかどうかを判定することを含む。この方法は、次に、610において、608での判定に基づいてワイヤレスデバイスに関する通知を表示することを含む。たとえば、この通知は、ワイヤレスデバイス上で表示されてもよい。通知は、ネットワークIDが、ワイヤレスデバイスのホームネットワークと同じ通信ネットワークからのネットワークIDであるか、それとも異なる通信ネットワークからのネットワークIDであるかを示すか、または通信ネットワークが未知のネットワークであることを示してもよい。その上、通知は、ワイヤレスデバイス上に表示される視覚効果および/またはワイヤレスデバイスから発せられる音響効果であってもよい。視覚効果には、以下のうちの1つまたは複数が含まれてもよいがそれらに限らない。通信ネットワークを示す色による起呼側を識別する数の表示、たとえば、同じネットワークには緑、異なるネットワークには赤、または未知のネットワークにはグレー、通信ネットワークを示すアイコンの表示、たとえば、同じネットワークにはチェックマーク、異なる通信ネットワークには「X」、または未知の通信ネットワークにはクエスチョンマーク、通信ネットワークが同じネットワークであるか、異なるネットワークであるか、それとも未知のネットワークであるかを示す様々なフォントの表示、あるいはそれらの任意の組合せ。さらに、音響効果には、たとえば、とりわけ、通信ネットワークを識別するための様々な着信音、たとえば、同じネットワーク、異なるネットワーク、または未知のネットワークにそれぞれの異なる着信音を発すること、および/またはその通信用の通信ネットワークをユーザに示すボイスレコーディングを発することが含まれてもよい。
【００３５】
この方法は、612において、通知に基づいて通信の許容および/または発信を行うことを含む。たとえば、通信ネットワークがワイヤレスデバイスのホームネットワークと同じであることを通知が示す場合、ユーザは通知に基づいて呼を許容してもよい。あるいは、通信が異なるネットワークまたは未知のネットワークからの通信であることを通知が示す場合、ユーザは呼を拒絶してもよい。この方法は、ユーザに呼の許容および/または拒絶を行うようプロンプトを出すことを含んでもよいことを諒解されたい。任意の態様では、通知に基づいて通信の自動的な許容および/または拒絶が行われてもよく、たとえば、通信が同じ通信ネットワークからの通信である場合に呼を自動的に許容するかまたは通信が異なる通信ネットワークからの通信である場合に呼を自動的に拒絶してもよい。
【００３６】
場合によっては、この方法は、614において、通信がネットワークIDを含まないと判定した場合、610に進んでもよく、610において、判定に基づいて通知を表示することを含む。あるいは、この方法は、616において、通信がネットワークIDを含まないと判定した場合、図7に進んでもよく、図7において、呼がワイヤレスデバイス上に記憶されている連絡先との関連性を有するかどうかを判定することを含む。
【００３７】
次に、図7の流れ図700を参照する。受信された通信および/または発信された通信がワイヤレスデバイス上に記憶されている連絡先との関連性を有するかどうかを判定するための方法の一態様は、702において、受信された呼を識別する番号がワイヤレスデバイス上の連絡先番号との関連性を有するかどうか、たとえば2つの番号が一致するかどうかを判定することを含む。上述のように、ワイヤレスデバイスは、連絡先名30、連絡先番号32、および/または連絡先ネットワークID34(図3)を記憶するためのPIMデータ記憶装置20(図3)を有してもよい。したがって、この方法は、受信された呼を識別する番号をワイヤレスデバイス上に記憶されている連絡先番号のリストと比較し、受信された呼を識別する番号と一致する連絡先番号があるかどうかを判定することを含んでもよい。
【００３８】
この方法は、受信された呼が連絡先番号との関連性を有すると判定した場合、704において、連絡先番号が連絡先ネットワークIDとの関連性を有するかどうかを判定すること、たとえば、連絡先番号が事前に連絡先ネットワークIDに関連付けられているかどうかを判定することを含む。連絡先番号に関連するネットワークIDの追加および/または更新を行うための方法については、以下に図8に関してより詳細に説明する。この方法は、706において、連絡先番号が連絡先ネットワークIDとの関連性を有すると判定した場合、場合によっては図6に進んでもよく、608(図6)において、連絡先ネットワークIDがホームネットワークに対応しているかどうかを判定すること、610(図6)において、判定に基づいて通知を表示すること、および612(図6)において、通知に基づいて呼の許容および/または発信を行うことを含む。
【００３９】
あるいは、この方法は、708において、連絡先番号が連絡先ネットワークIDとの関連性を有さないと判定した場合、場合によっては図6に進んでもよく、610(図6)において、判定に基づいて通知を表示すること、および612(図6)において、通知に基づいて呼の許容および/または発信を行うことを含む。
【００４０】
この方法は、710において、受信された呼が連絡先番号との関連性を有さないと判定した場合、受信された呼を任意の追加の呼情報、たとえば、起呼側を識別する電話番号、ネットワークID、呼が発信された日付、呼が発信された時間、および/または呼の長さと一緒に呼履歴リストに入れることを含む。場合によっては、この方法は、712において、以下に図8の812で説明するように、受信された呼を連絡先として追加するかどうかを判定することを含む。
【００４１】
次に、図8の流れ図800を参照する。連絡先情報の更新および/または追加を行うための方法の一態様は、802において、受信された呼を識別する番号がワイヤレスデバイス上に記憶されている連絡先番号に対応しているかどうか、たとえば、受信された呼を識別する番号と連絡先番号とが一致しているかどうかを判定することを含む。この方法は、次に、804において、受信された呼が連絡先番号に対応していると判定した場合、受信されたネットワークID(図6の606)が連絡先番号に関連する連絡先番号ネットワークIDと同じであるかどうかを判定することを含む。たとえば、連絡先番号が連絡先番号に関連する連絡先番号ネットワークIDともはや関連性を有さず、たとえば、ネットワークの切替えおよび/または変更が行われているか、連絡先番号が連絡先ネットワークIDとの関連性を有していないことがあり、あるいは連絡先番号が依然として番号ネットワークIDとの関連性を有することもある。
【００４２】
この方法は、次に806において、場合によっては、804での判定に基づいてユーザにプロンプトを出すことを含む。たとえば、ワイヤレスデバイスは、連絡先情報を更新するようユーザにプロンプトを出すメッセージを表示してもよい。このメッセージには、たとえば、連絡先番号に関連する連絡先ネットワークIDが変更されていることの通知、連絡先番号に関連する連絡先ネットワークIDが連絡先番号と一緒に記憶されている情報と一致しないことの通知、および/またはこの情報が連絡先番号から欠落していることの通知が含まれてもよい。したがって、連絡先情報に対して変更および/または更新が必要であるときにユーザにプロンプトを出してもよい。さらに、ワイヤレスデバイスは、連絡先ネットワークID名、たとえばネットワークの別名の入力および/または変更を行うようユーザにプロンプトを出すメッセージを表示してもよい。したがって、ユーザは、特定のネットワーク、たとえばホームネットワーク、同じネットワーク、マイネットワーク、または異なるネットワークに付けられている名前をカスタマイズしてもよい。
【００４３】
この方法は、808において、判定およびプロンプトに基づいて、連絡先情報、たとえば、連絡先名、連絡先番号、連絡先ネットワークID、連絡先ネットワークID名、連絡先グループID、または連絡先住所を更新することを含む。一態様では、ユーザは、連絡先番号に関連する連絡先ネットワークIDを更新してもよい。別の態様では、ユーザは、グループ、たとえば友人、家族、同僚の連絡先を追加してもよく、したがって、連絡先グループIDを更新してもよい。連絡先に関連するネットワーク情報に基づいてグループを作成してもよく、たとえば、ワイヤレスデバイスのホームネットワークと同じネットワークの連絡先のみをグループに追加してもよいことを諒解されたい。
【００４４】
場合によっては、一態様において、この方法は、ユーザにプロンプトを出さずに、受信された呼と一緒に受信された情報に基づいて、たとえば、シグナリング、SMSメッセージ、またはUSSDを介して自動的に連絡先情報を更新してもよい。たとえば、連絡先ネットワークIDが受信されたネットワークIDと一致しない場合、この方法では、連絡先番号に関連する連絡先ネットワークIDを自動的に更新してもよい。その上、連絡先に連絡先ネットワークIDが関連付けられていない場合、この方法では、連絡先ネットワークIDにネットワークIDを自動的に追加してもよい。連絡先番号ネットワークID名は、呼と一緒に受信された情報に基づいて、たとえばホームネットワーク、異なるネットワークなどに自動的に更新されてもよい。
【００４５】
しかし、この方法は、810において、受信された呼が連絡先番号に対応していない場合、受信された呼を呼履歴リストに入れることを含む。上記で説明したように、呼履歴リストは、起呼側を識別する電話番号、ネットワークID、呼が発信された日付、呼が発信された時間、および/または呼の長さのような追加の呼情報を含んでもよい。この方法は、場合によっては、812において、受信された呼を連絡先として追加するかどうかを判定することを含んでもよい。この方法は、呼を連絡先として追加すべきであると判定した場合、814に従って、その判定に基づいて連絡先情報を更新することを含む808に進んでもよい。
【００４６】
図9を参照する。一態様では、ワイヤレスデバイス102は、本明細書で説明する構成要素および機能のうちの1つまたは複数に関連する処理機能を実行するためのプロセッサ80を含んでもよい。プロセッサ80は、1組もしくは複数組のプロセッサまたは1組もしくは複数組のマルチコアプロセッサを含んでもよい。その上、プロセッサ80は、統合処理システムおよび/または分散処理システムとして実装されてもよい。
【００４７】
ワイヤレスデバイス102は、プロセッサ80によって実行されているアプリケーションのローカルバージョンを記憶することなどを目的としたメモリ82をさらに含む。メモリ82は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリを含んでもよい。
【００４８】
さらに、ワイヤレスデバイス102は、本明細書で説明するように、ハードウェア、ソフトウェア、およびサービスを利用して、1つまたは複数の相手との通信を確立し維持することを可能にする通信構成要素84を含み得る。通信構成要素84は、ワイヤレスデバイス102上の構成要素同士間、ならびにワイヤレスデバイス102と、通信ネットワーク上に位置するデバイスおよび/またはワイヤレスデバイス102に直列もしくはローカルに接続されたデバイスなどの外部デバイスとの間の通信を伝え得る。たとえば、通信構成要素84は、1つまたは複数のバスを含んでもよく、外部デバイスとのインターフェースをとるように動作可能な送信機および受信機にそれぞれが関連する送信チェーン構成要素および受信チェーン構成要素をさらに含んでもよい。
【００４９】
さらに、ワイヤレスデバイス102は、本明細書で説明する態様に関連して使用される情報、データベース、およびプログラムの大容量記憶を可能にするハードウェアおよび/またはソフトウェアの任意の適切な組合せであり得るデータ記憶装置86をさらに含んでもよい。たとえば、データ記憶装置86は、プロセッサ80によって現在実行されていないアプリケーションのためのデータリポジトリであり得る。
【００５０】
ワイヤレスデバイス102は、ワイヤレスデバイス102のユーザからの入力を受信するように動作可能であり、ユーザへの提示のための出力を生成するようにさらに動作可能なユーザインターフェース構成要素88をさらに含み得る。ユーザインターフェース構成要素88は、限定はしないが、キーボード、ナンバーパッド、マウス、タッチセンシティブディスプレイ、ナビゲーションキー、ファンクションキー、マイクロフォン、音声認識構成要素、ユーザからの入力を受信することが可能な任意の他の機構、またはそれらの任意の組合せを含む1つまたは複数の入力デバイスを含み得る。さらに、ユーザインターフェース構成要素88は、限定はしないが、ディスプレイ、スピーカ、触覚フィードバック機構、プリンタ、ユーザに出力を提示することが可能な任意の他の機構、またはそれらの任意の組合せを含む1つまたは複数の出力デバイスを含み得る。
【００５１】
ワイヤレスデバイス102は、ワイヤレスデバイス102と、通信ネットワーク上に位置するデバイスおよび/またはワイヤレスデバイス102に直列もしくはローカルに接続されたデバイスなどの外部デバイスとの間の1つまたは複数の通信ネットワークを判定するように動作可能なネットワーク判定器構成要素10(図1)を含んでもよい。その上、ワイヤレスデバイス102は、ワイヤレスデバイス102のホーム通信ネットワークを判定するように動作可能なホームネットワーク判定器構成要素12をさらに含んでもよい。
【００５２】
次に、図10を参照すると、コンテンツを管理するように構成されたシステム1000が示されている。たとえば、システム1000は、送信機、モバイルデバイスなど内に少なくとも部分的に存在してもよい。システム1000は、プロセッサ、ソフトウェア、またはそれらの組合せ(たとえば、ファームウェア)によって実施される機能を表す機能ブロックであり得る機能ブロックを含むものとして表されていることを諒解されたい。システム1000は、呼の受信を容易にする電気的構成要素の論理的グルーピング1002を含む。たとえば、論理的グルーピング1002は、ワイヤレスデバイスにおいてそのワイヤレスデバイスのホームネットワークを判定するための構成要素1004を含んでもよい。さらに、論理的グルーピング1002は、識別子を含む呼を受信するための構成要素1006を含んでもよい。さらに、論理的グルーピング1002は、識別子がホームネットワークに対応しているかどうかを判定するための構成要素1008を含んでもよい。さらに、論理的グルーピング1002は、判定に基づいてモバイルデバイスに関する通知を表示するための構成要素1010をさらに含んでもよい。さらに、システム1000は、電気的構成要素1004、1006、1008、および1010に関連する機能を実行するための命令を保持するメモリ1012を含んでもよい。電気構成要素1004、1006、1008、および1012は、メモリ1012の外部にあるものとして示されているが、これらの電気構成要素1004、1006、1008、および1012のうちの1つまたは複数は、メモリ1012内に存在し得ることを理解されたい。
【００５３】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および/またはコンピュータであり得るが、これらに限定されない。例として、コンピューティングデバイス上で実行されるアプリケーションと、そのコンピューティングデバイスの両方が、構成要素であり得る。1つまたは複数の構成要素がプロセスおよび/もしくは実行スレッド内に常駐することができ、1つの構成要素が1つのコンピュータ上に配置され得、ならびに/または2つ以上のコンピュータ間に分散され得る。さらに、これらの構成要素は、様々なデータ構造を記憶している様々なコンピュータ可読媒体から実行することができる。これらの構成要素は、信号を介して、ローカルシステムおよび/または分散システム内の別の構成要素と相互作用し、ならびに/あるいはインターネットなどのネットワーク上で他のシステムと相互作用する1つの構成要素からのデータのような、1つまたは複数のデータパケットを有する信号に従うことなどによって、ローカルプロセスおよび/またはリモートプロセスを介して通信し得る。
【００５４】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器(UE)と呼ばれることもある。ワイヤレス端末は、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスであり得る。さらに、様々な態様について、基地局に関して本明細書で説明する。基地局は、ワイヤレス端末と通信するために使用されてもよく、アクセスポイント、ノードB、またはある他の用語で呼ばれることもある。
【００５５】
その上、「または」という用語は、排他的な「または」ではなく、包括的な「または」を意味するものとする。すなわち、別段の規定がない限り、または文脈から明白でない限り、「XはAまたはBを使用する」という句は、自然な包括的置換のいずれかを意味するものとする。すなわち、「XはAまたはBを使用する」という句は、以下の例のいずれかによって成立する。XはAを使用する。XはBを使用する。XはAとBの両方を使用する。さらに、本出願および添付の特許請求の範囲で使用する冠詞「a」および「an」は、別段の規定がない限り、または単数形を示すことが文脈から明白でない限り、概して「1つまたは複数」を意味するものと解釈すべきである。
【００５６】
本明細書で説明する技法は、CDMA、TDMA、FDMA、OFDMA、SC-FDMAおよび他のシステムなど、様々なワイヤレス通信システムに使用され得る。「システム」および「ネットワーク」という用語は、しばしば互換的に使用される。CDMAシステムは、ユニバーサル地上無線アクセス(UTRA)、cdma2000などの無線技術を実装することができる。UTRAは、Wideband-CDMA(W-CDMA)およびCDMAの他の変形態を含む。さらに、cdma2000は、IS-2000規格、IS-95規格、およびIS-856規格を対象とする。TDMAシステムは、Global System for Mobile Communications(GSM(登録商標))などの無線技術を実装し得る。OFDMAシステムは、Evolved UTRA(E-UTRA)、Ultra Mobile Broadband(UMB)、IEEE802.11(WiFi)、IEEE802.16(WiMAX)、IEEE802.20、Flash-OFDM(登録商標)などの無線技術を実装し得る。UTRAおよびE-UTRAは、Universal Mobile Telecommunication System(UMTS)の一部である。3GPP Long Term Evolution(LTE)は、ダウンリンク上ではOFDMAを採用し、アップリンク上ではSC-FDMAを採用するE-UTRAを使用するUMTSのリリースである。UTRA、E-UTRA、UMTS、LTEおよびGSM(登録商標)は、「3rd Generation Partnership Project」(3GPP)と称する組織からの文書に記載されている。さらに、cdma2000およびUMBは、「3rd Generation Partnership Project 2」(3GPP2)と称する組織からの文書に記載されている。さらに、そのようなワイヤレス通信システムは、不対無認可スペクトル、802.xxワイヤレスLAN、Bluetooth(登録商標)および任意の他の短距離または長距離ワイヤレス通信技法をしばしば使用するピアツーピア(たとえば、モバイルツーモバイル)アドホックネットワークシステムをさらに含み得る。
【００５７】
いくつかのデバイス、構成要素、モジュールなどを含み得るシステムに関して、様々な態様または特徴を提示する。様々なシステムが、追加のデバイス、構成要素、モジュールなどを含んでもよく、ならびに/あるいは各図に関連して論じるすべてのデバイス、構成要素、モジュールなどを含むとは限らないことを理解され諒解されたい。これらの手法の組合せも使用され得る。
【００５８】
本明細書で開示する実施形態に関して説明する様々な例示的な論理、論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲート論理もしくは個別トランジスタ論理、個別ハードウェア構成要素、または、本明細書で説明する機能を実行するように設計されたそれらの任意の組合せによって実装または実行されてもよい。汎用プロセッサはマイクロプロセッサであり得るが、代替として、プロセッサは任意の従来のプロセッサ、コントローラ、マイクロコントローラ、または状態機械であり得る。プロセッサはまた、たとえばDSPおよびマイクロプロセッサの組合せ、複数のマイクロプロセッサ、DSPコアに結合した1つまたは複数のマイクロプロセッサ、あるいは任意の他のそのような構成など、コンピューティングデバイスの組合せとして実装され得る。さらに、少なくとも1つのプロセッサは、上述のステップおよび/またはアクションの1つまたは複数を実行するように動作可能な1つまたは複数のモジュールを含み得る。
【００５９】
さらに、本明細書で開示した態様に関して説明した方法またはアルゴリズムのステップおよび/またはアクションは、直接ハードウェアで実施するか、プロセッサによって実行されるソフトウェアモジュールで実施するか、またはその2つの組合せで実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサと一体であり得る。さらに、いくつかの態様では、プロセッサおよび記憶媒体はASIC中に常駐し得る。さらに、ASICはユーザ端末中に常駐し得る。代替として、プロセッサおよび記憶媒体は、ユーザ端末中に個別構成要素として常駐し得る。さらに、いくつかの態様では、方法またはアルゴリズムのステップおよび/またはアクションは、コンピュータプログラム製品に組み込まれ得る、機械可読媒体および/またはコンピュータ可読媒体上のコードおよび/または命令の1つまたは任意の組合せ、あるいはそのセットとして常駐し得る。
【００６０】
1つまたは複数の態様では、説明する機能は、ハードウェア、ソフトウェア、ファームウェア、またはそれらの組合せで実装され得る。各機能は、ソフトウェアで実装される場合、1つまたは複数の命令またはコードとしてコンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送または記憶するために使用でき、コンピュータによってアクセスできる、任意の他の媒体を含み得る。また、いかなる接続もコンピュータ可読媒体と呼ばれ得る。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フレキシブルディスク(disk)およびブルーレイディスク(disc)を含み、ディスク(disk)は、通常、データを磁気的に再生し、ディスク(disc)は、通常、データをレーザで光学的に再生する。上記の組合せもコンピュータ可読媒体の範囲内に含めるべきである。
【００６１】
上記の開示は、例示的な態様および/または実施形態について論じたが、添付の特許請求の範囲によって定義される、説明した態様および/または実施形態の範囲から逸脱することなく、様々な変更および改変を本明細書で行うことができることに留意されたい。さらに、説明した態様および/または実施形態の要素は、単数形で説明または請求されていることがあるが、単数形に限定することが明示的に述べられていない限り、複数形が企図される。さらに、任意の態様および/または実施形態の全部または一部は、別段に記載されていない限り、任意の他の態様および/または実施形態の全部または一部とともに利用され得る。
【符号の説明】
【００６２】
10  ネットワーク判定器
12  ホームネットワーク判定器
14  ホームネットワーク識別情報(ID)
20  PIMデータ記憶装置
22  相関器
24  プレゼンタ
26  アップデータ
30  連絡先名
32  連絡先番号
34  連絡先番号ネットワーク識別情報(ID)
35  連絡先番号ネットワークID名
36  グループ識別情報(ID)
38  連絡先住所
40  呼履歴データ記憶装置
42  電話番号
44  ネットワーク識別情報(ID)
46  呼が発信された日付
48  呼が発信された時間
50  呼の長さ
52  連絡先名アップデータ
54  連絡先番号アップデータ
56  連絡先番号ネットワークIDアップデータ
57  連絡先番号ネットワークID名アップデータ
58  グループ識別情報(ID)アップデータ
80  プロセッサ
82  メモリ
84  通信構成要素
86  データ記憶装置
88  ユーザインターフェース構成要素
102  ワイヤレスデバイス
104  アクセスネットワーク
106  通信デバイス
1000  システム
1002  論理グルーピング
1004、1006、1008、1010  構成要素
1012  メモリ
【図１】
2013534753.tif 000003
【図２】
2013534753.tif 000004
【図３】
2013534753.tif 000005
【図４】
2013534753.tif 000006
【図５】
2013534753.tif 000007
【図６】
2013534753.tif 000008
【図７】
2013534753.tif 000009
【図８】
2013534753.tif 000010
【図９】
2013534753.tif 000011
【図１０】
2013534753.tif 000012
【国際調査報告】
2013534753.tif 000013
2013534753.tif 000014
2013534753.tif 000015